(57)【要約】【課題】ユーザの歩数を誤ってカウントする誤カウントの発生を好適に防止することができるようにする。【解決手段】本発明に係る携帯端末に適用可能な携帯電話機においては、加速度センサは、携帯端末に生じる加速度を検知し、検知信号を生成し、加速度センサのレジスタは、検知信号に基づいて携帯端末の移動に伴うユーザの歩数に関するカウントデータを記録し、制御部は、記録されているカウントデータに基づいてユーザの歩数を計数し、スピーカによって音声を鳴動し、音声の鳴動が開始される場合、計数手段によるユーザの歩数の計数を停止する。【選択図】  図４
2009296170.tif 000002
【特許請求の範囲】
【請求項１】
携帯端末に生じる加速度を検知し、検知信号を生成する検知信号生成手段と、
前記検知信号生成手段により生成された前記検知信号に基づいて、前記携帯端末の移動に伴うユーザの歩数に関するカウントデータを記録する記録手段と、
前記記録手段により記録されている前記カウントデータに基づいて、ユーザの歩数を計数する計数手段と、
音声を鳴動する音声鳴動手段と、
前記音声鳴動手段により前記音声の鳴動が開始される場合、前記計数手段によるユーザの歩数の計数を停止する計数制御手段とを備えることを特徴とする携帯端末。
【請求項２】
前記計数制御手段は、前記音声鳴動手段により前記音声の鳴動が終了された場合、前記前記計数手段によるユーザの歩数の計数の停止を解除し、ユーザの歩数の計数を再開することを特徴とする請求項１に記載の携帯端末。
【請求項３】
前記計数制御手段は、着信時における音声鳴動要求信号が取得されて前記音声の鳴動が開始される場合、または、音楽再生時に前記音声の鳴動が開始される場合、記前記計数手段によるユーザの歩数の計数を停止することを特徴とする請求項１に記載の携帯端末。
【発明の詳細な説明】
【技術分野】
【０００１】
本発明は携帯端末に係り、特に、加速度センサが搭載された携帯端末に関する。
【背景技術】
【０００２】
近年、携帯端末としての携帯電話機には、単なる通話による通信機能だけでなく、アドレス帳機能、基地局やインターネットなどのネットワークを介したメール機能や、Ｗｅｂページなどを閲覧することが可能なブラウザ機能、さらにはオーディオデータを聞くことができる音楽制御機能や、地上波ディジタルワンセグ放送波を受信することができる機能などが搭載されるようになってきている。
【０００３】
また、携帯電話機のモータビリティを利用し、加速度センサを携帯電話機に内蔵して携帯電話機に歩数計の機能を持たせる技術が提案されている。なお、歩数計に関連する技術として、次のような技術が知られている（例えば特許文献１参照）。特許文献１に提案されている技術によれば、歩行した歩数値を測定しメモリに記憶し、設定された歩数値との積算により歩行距離として表示でき、歩数値が設定した目標値と一致したときに告知音にて知らせることができ、また、歩数カウントを一時中断することができ、再び歩行距離測定を行うとき、メモリに記憶した歩数値を読み出すことによって、継続した測定を行うことができる。
【特許文献１】特開２０００−２０９１４２号公報
【発明の開示】
【発明が解決しようとする課題】
【０００４】
携帯電話機に内蔵される加速度センサには、一般的に高度な歩数誤認識除去機能は搭載されていない。そのため、携帯電話機のスピーカから何らかの音声が鳴動されると、その音声鳴動に伴って微かな振動が発生してしまう。その結果、携帯電話機に内蔵された加速度センサがこの振動によって携帯電話機に生じる加速度を検知してしまい、ユーザが歩いていないにもかかわらず、ユーザの歩数として計数されてしまうという課題があった。
【０００５】
本発明は、このような状況に鑑みてなされたものであり、ユーザの歩数を誤ってカウントする誤カウントの発生を好適に防止することができる携帯端末を提供することを目的とする。
【課題を解決するための手段】
【０００６】
本発明の携帯端末は、上述した課題を解決するために、携帯端末に生じる加速度を検知し、検知信号を生成する検知信号生成手段と、検知信号生成手段により生成された検知信号に基づいて、携帯端末の移動に伴うユーザの歩数に関するカウントデータを記録する記録手段と、記録手段により記録されているカウントデータに基づいて、ユーザの歩数を計数する計数手段と、音声を鳴動する音声鳴動手段と、音声鳴動手段により音声の鳴動が開始される場合、計数手段によるユーザの歩数の計数を停止する計数制御手段とを備えることを特徴とする。
【発明の効果】
【０００７】
本発明によれば、ユーザの歩数を誤ってカウントする誤カウントの発生を好適に防止することができる。
【発明を実施するための最良の形態】
【０００８】
以下、本発明の実施の形態について、図面を参照しながら説明する。図１は、本発明に係る携帯端末として適用可能な携帯電話機１の外観の構成を表している。なお、図１（Ａ）は、携帯電話機１を約１８０度に見開いたときの正面から見た外観の構成を表しており、図１（Ｂ）は、携帯電話機１を見開いたときの側面から見た外観の構成を表している。
【０００９】
図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に折り畳み可能に形成される。携帯電話機１の内部の所定の位置には、送受信用のアンテナ（後述する図３のアンテナ３１）が設けられており、内蔵されたアンテナを介して基地局（図示せず）との間で電波を送受信する。
【００１０】
第１の筐体１２には、その表面に「０」乃至「９」の数字キー、発呼キー、リダイヤルキー、終話・電源キー、クリアキー、および電子メールキーなどの操作キー１４が設けられており、操作キー１４を用いて各種指示を入力することができる。
【００１１】
第１の筐体１２には、操作キー１４として上部に十字キーと確定キーが設けられており、ユーザが十字キーを上下左右方向に操作することにより当てられたカーソルを上下左右方向に移動させることができる。具体的には、第２の筐体１３に設けられたメインディスプレイ１７に表示されている電話帳リストや電子メールのスクロール動作、簡易ホームページのページ捲り動作および画像の送り動作などの種々の動作を実行する。
【００１２】
また、確定キーを押下することにより、種々の機能を確定することができる。例えば第１の筐体１２は、ユーザによる十字キーの操作に応じてメインディスプレイ１７に表示された電話帳リストの複数の電話番号の中から所望の電話番号が選択され、確定キーが第１の筐体１２の内部方向に押圧されると、選択された電話番号を確定して電話番号に対して発呼処理を行う。
【００１３】
さらに、第１の筐体１２には、十字キーと確定キーの左隣に電子メールキーが設けられており、電子メールキーが第１の筐体１２の内部方向に押圧されると、メールの送受信機能を呼び出すことができる。十字キーと確定キーの右隣には、ブラウザキーが設けられており、ブラウザキーが第１の筐体１２の内部方向に押圧されると、Ｗｅｂページのデータを閲覧することが可能となる。
【００１４】
また、第１の筐体１２には、操作キー１４の下部にマイクロフォン１５が設けられており、マイクロフォン１５によって通話時のユーザの音声を集音する。さらに、第１の筐体１２には、携帯電話機１の操作を行うサイドキー１６が設けられている。
【００１５】
なお、第１の筐体１２は、背面側に図示しないバッテリパックが挿着されており、終話・電源キーがオン状態になると、バッテリパックから各回路部に対して電力が供給されて動作可能な状態に起動する。
【００１６】
一方、第２の筐体１３には、その正面にメインディスプレイ１７が設けられており、電波の受信状態、電池残量、電話帳として登録されている相手先名や電話番号及び送信履歴等の他、電子メールの内容、簡易ホームページ、ＣＣＤ（Charge Coupled Device）カメラ（後述する図２のＣＣＤカメラ２０）で撮像した画像、外部のコンテンツサーバ（図示せず）より受信したコンテンツ、メモリカード（後述する図３のメモリカード４６）に記憶されているコンテンツを表示することができる。また、メインディスプレイ１７の上部の所定の位置にはレシーバ（受話器）１８が設けられており、これにより、ユーザは音声通話することが可能である。なお、携帯電話機１の所定の位置には、レシーバ１８以外の音声出力部としてのスピーカ（図３のスピーカ５０）も設けられている。
【００１７】
また、第１の筐体１２と第２の筐体１３の内部の所定の位置には、携帯電話機１の状態を検知するための磁気センサ１９a、１９b、１９c、および１９dが設けられる。なお、メインディスプレイ１７は、例えば有機ＥＬにより構成されるディスプレイでもよいし、液晶ディスプレイ（Liquid Crystal Display）でもよい。
【００１８】
図２は、本発明に係る携帯端末として適用可能な携帯電話機１の他の外観の構成を表している。図２の携帯電話機１の状態は、図１の携帯電話機１の状態から矢印Ｘ方向に回動させた状態である。なお、図２（Ａ）は、携帯電話機１を閉じたときの正面から見た外観の構成を表しており、図２（Ｂ）は、携帯電話機１を閉じたときの側面から見た外観の構成を表している。
【００１９】
第２の筐体１３の上部には、ＣＣＤカメラ２０が設けられており、これにより、所望の撮影対象を撮像することができる。ＣＣＤカメラ２０の下部には、サブディスプレイ２１が設けられており、現在のアンテナの感度のレベルを示すアンテナピクト、携帯電話機１の現在の電池残量を示す電池ピクト、現在の時刻などが表示される。
【００２０】
図３は、本発明に係る携帯端末に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００２１】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調停された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００２２】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのデータに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００２３】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオデータ信号を受話増幅器３９に出力する。このアナログオーディオ信号は、受話増幅器３９にて増幅された後、レシーバ１８により出力される。
【００２４】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ１７に表示させる。なお、制御部４１は、受信された動画像データだけでなく、ＣＣＤカメラ２０により撮像された動画像データに関しても、図示せぬビデオＲＡＭを介してメインディスプレイ１７に表示させることも可能である。
【００２５】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー１４の操作に応じて、記憶部４２に記憶されているこの電子メールを読み出し、読み出された電子メールをメインディスプレイ１７に表示させる。
【００２６】
一方、通話モードにおいて、マイクロフォン１５に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２０から出力される動画像信号は、制御部４１によりディジタル化されて圧縮伸張処理部３７に入力される。さらに、制御部４１にて作成されたテキストデータである電子メールも、圧縮伸張処理部３７に入力される。
【００２７】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００２８】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から図示せぬ基地局に向けて送信される。
【００２９】
また、携帯電話機１は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の正確な現在の時刻を測定する時計回路（タイマ）４７が設けられている。
【００３０】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた、オペレーティングシステム（ＯＳ）を含む各種のアプリケーションプログラムに従って各種の処理を実行するとともに、種々の制御信号を生成し、各部に供給することにより携帯電話機１を統括的に制御する。ＲＡＭは、ＣＰＵが各種の処理を実行する上において必要なデータなどを適宜記憶する。なお、制御部４１には、必要に応じて１または複数のＣＰＵが備えられる。
【００３１】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。
【００３２】
電源回路４４は、バッテリ４３の出力を基に所定の動作電源電圧Ｖｃｃを生成して各回路部に供給する。また、地上波ディジタルワンセグ受信部４８は、図示せぬ放送局からの地上波ディジタルワンセグ放送波や地上波ディジタルラジオ放送波を受信し、受信された地上波ディジタルワンセグ放送波や地上波ディジタルラジオ放送波に基づくＴＳ（Transport Stream）信号を地デジ処理部４９に供給する。地デジ処理部４９は、地上波ディジタルワンセグ受信部４８にて地上波ディジタルワンセグ放送波が受信された場合、地上波ディジタルワンセグ受信部４８からの地上波ディジタルワンセグ放送波に基づくＴＳ信号から、音声データと映像データに関するＥＳ（Elementary Stream）にそれぞれ分離し、分離された音声データを地デジ処理部４９内の音声デコーダ（図示せず）にて所定の復号化方式でデコードするとともに、分離された映像データを地デジ処理部４９内の映像デコーダ（図示せず）にて所定の復号化方式でデコードし、デコード後のディジタル音声信号とディジタル動画像信号を制御部４１に供給する。
【００３３】
加速度センサ５１は、携帯電話機１に生じる加速度を検知し、検知信号を生成する。具体的には、加速度センサ５１は、携帯電話機１に生じる加速度を示す振幅が予め設定された所定の基準値よりも大きいか否かを判定し、携帯電話機１に生じる加速度を示す振幅が予め設定された所定の基準値よりも大きいと判定した場合、携帯電話機１に生じる加速度を検知したことを示す検知信号を生成する。そして、加速度センサ５１は、生成された検知信号に基づいて、加速度センサ５１に内蔵されたレジスタ５２にカウントデータを記録する。このカウントデータには、制御部４１のＣＰＵによって加速度センサからカウントデータが読み出されてから次にカウントデータが読み出されるまでの間に、携帯電話機１に生じた加速度の検知回数（すなわち、ユーザの歩数）と、検知された時刻に関するデータが含まれている。この加速度センサ５１は、常時電源がＯＮに設定されている。
【００３４】
なお、制御部４１のＣＰＵは、省電力のために間欠動作しており、スリープ時には着信の有無を検知するために動作し、その動作のたびに加速度センサ５１のレジスタ５２に記録されているカウントデータを読み出し、読み出されたカウントデータに基づいてユーザの歩数をカウントアップする。勿論、間欠動作を行っていない場合には、ユーザの歩数のカウントアップのリアルタイム性をより重視するために、加速度センサ５１にて携帯電話機１に生じる加速度が検知されて検知信号が生成される度に、歩数カウントアップ処理を実行するようにしてもよいし、ある程度のカウントアップ処理をまとめて（所定時間間隔ごとに）行うようにしてもよい。
【００３５】
ところで、携帯電話機１に内蔵される加速度センサ５１には、一般的に高度な歩数誤認識除去機能は搭載されていない。そのため、携帯電話機１のスピーカ５０から何らかの音声が鳴動されると、その音声鳴動に伴って微かな振動が発生してしまう。その結果、携帯電話機１に内蔵された加速度センサ５１がこの振動によって携帯電話機１に生じる加速度を検知してしまい、ユーザが歩いていないにもかかわらず、ユーザの歩数として計数されてしまう。そこで、本発明においては、スピーカ５０での音声鳴動開始から音声鳴動終了までの間、加速度センサ５１によるカウントデータに基づくカウントアップ処理を停止するようにする。これにより、ユーザの歩数を誤ってカウントする誤カウントの発生を好適に防止することができ、歩数のカウント精度を向上させることができる。以下、この方法を用いた歩数カウントアップ停止処理について説明する。
【００３６】
図４のフローチャートを参照して、図３の携帯電話機１における歩数カウントアップ停止処理について説明する。なお、図４の歩数カウントアップ停止処理においては、制御部４１のＣＰＵは間欠動作されていないものとする。
【００３７】
ステップＳ１において、制御部４１は、アンテナ３１などを介して他の携帯電話機１などからの着信信号を取得するとともに、着信時でのスピーカ５０による音声鳴動要求信号を取得する。ステップＳ２において、制御部４１は、以降の処理においてスピーカ５０による音声鳴動要求信号に基づく音声鳴動処理を実行すると認識し、加速度センサ５１にて検知信号が生成されるタイミングなどで実行される歩数カウントアップを一時的に停止する。すなわち、たとえ加速度センサ５１にて携帯電話機１に生じた加速度が検知され検知信号が生成されたとしても、歩数のカウントアップ処理は行われず、歩数カウントアップ停止処理が継続する限り、その間に加速度センサ５１にて生成される検知信号に基づくカウントは歩数に反映されない。
【００３８】
ステップＳ３において、制御部４１は、取得されたスピーカ５０による音声鳴動要求信号に従い、ＰＣＭコーデック３８などを制御し、スピーカ５０から所定の音声による鳴動を開始する。ステップＳ４において、制御部４１は、例えばユーザにより操作キー１４が操作されることで終話指示が受け付けられると、ＰＣＭコーデック３８などを制御し、スピーカ５０から所定の音声による鳴動を終了する。
【００３９】
ステップＳ５において、制御部４１は、スピーカ５０による音声鳴動要求信号に基づく音声鳴動処理の実行が終了したと認識し、音声鳴動に伴う歩数の誤カウントに危険性がなくなったことから、歩数カウントアップ停止処理を解除し、加速度センサ５１にて検知信号が生成されるタイミングなどで実行される歩数カウントアップを再開する。
【００４０】
なお、図４のフローチャートを用いた歩数カウントアップ停止処理においては、スピーカ５０による音声鳴動要求信号が取得された場合に、歩数カウントアップ停止処理を実行するようにしたが、このような場合に限られず、例えばスピーカ５０を用いた音楽再生時にも本発明を適用するようにしてもよい。この場合における歩数カウントアップ停止処理は、図５のフローチャートに示される。
【００４１】
図５のフローチャートを参照して、図３の携帯電話機１における他の歩数カウントアップ停止処理について説明する。なお、図５の処理は、図４の処理と基本的には同様であり、その説明は繰り返しになるので省略する。
【００４２】
ステップＳ１１において、制御部４１は、ユーザにより操作キー１４が操作されることでメニュ画面上にて音楽再生を開始するとの指示が受け付けられたか否かを判定し、音楽再生を開始するとの指示が受け付けられたと判定するまで待機する。ステップＳ１１において制御部４１が、音楽再生を開始するとの指示が受け付けられたと判定した場合、処理はステップＳ１２に進み、ステップＳ１２において歩数カウントアップ停止処理が実行される。なお、このステップＳ１２における歩数カウントアップ停止処理は、図４のステップＳ２における歩数カウントアップ停止処理と同様であり、その説明は繰り返しになるので省略する。
【００４３】
ステップＳ１３において、制御部４１は、記憶部４２に予め記憶されているオーディオデータを読み出し、読み出されたオーディオデータを所定のデータサイズであるフレーム単位に切り出す。次に、制御部４１は、切り出されたフレーム単位のオーディオデータを所定の復号化方式にて逐次復号化する。ステップＳ１４において、制御部４１は、ＰＣＭコーデック３８などを制御し、復号化後のオーディオデータを用いてスピーカ５０から音楽再生時での音声による鳴動を開始する。ステップＳ１５において、制御部４１は、例えばユーザにより操作キー１４が操作されることで音楽再生の終了指示が受け付けられると、ＰＣＭコーデック３８などを制御し、スピーカ５０から所定の音声による鳴動を終了する。その後、処理はステップＳ１６に進み、ステップＳ１６において歩数カウントアップ停止処理が解除され、歩数カウントアップ処理が再開される。
【００４４】
本発明の実施形態においては、携帯端末１に生じる加速度を検知し、検知信号を生成し、生成された検知信号に基づいて、携帯端末１の移動に伴うユーザの歩数に関するカウントデータを記録し、記録されているカウントデータに基づいてユーザの歩数を計数し、音声を鳴動し、音声の鳴動が開始される場合、計数手段によるユーザの歩数の計数を停止することができる。これにより、ユーザの歩数を誤ってカウントする誤カウントの発生を好適に防止することができ、歩数の誤認識が発生するような状況下においても、歩数のカウント精度を向上させることができる。
【００４５】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の携帯端末にも適用することができる。
【００４６】
また、本発明の実施形態において説明した一連の処理は、ソフトウェアにより実行させることもできるが、ハードウェアにより実行させることもできる。
【００４７】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００４８】
【図１】本発明に係る携帯端末に適用可能な携帯電話機の外観の構成を示す図。
【図２】本発明に係る携帯端末に適用可能な携帯電話機の他の外観の構成を示す図。
【図３】本発明に係る携帯端末に適用可能な携帯電話機の内部の構成を示すブロック図。
【図４】図３の携帯電話機における歩数カウントアップ停止処理を説明するフローチャート。
【図５】図３の携帯電話機における他の歩数カウントアップ停止処理を説明するフローチャート。
【符号の説明】
【００４９】
１…携帯電話機、１１…ヒンジ部、１２…第１の筐体、１３…第２の筐体、１４…操作キー、１５…マイクロフォン、１６…サイドキー、１７…メインディスプレイ、１８…レシーバ、１９a乃至１９d…磁気センサ、２０…ＣＣＤカメラ、２１…サブディスプレイ、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…地上波ディジタルワンセグ受信部、４９…地デジ処理部、５０…スピーカ、５１…加速度センサ、５２…レジスタ。
【図１】
2009296170.tif 000003
【図２】
2009296170.tif 000004
【図３】
2009296170.tif 000005
【図４】
2009296170.tif 000006
【図５】
2009296170.tif 000007